(57)【要約】【課題】ランプ固定部材を介してランプの熱が放出することで、温度偏差が誘発し、出射する光の輝度が低くなって、バックライトアセンブリの効率が低下することを防止する。【解決手段】複数のランプの一端部をカバーし、ランプの上部に配置される光学部材を支持するモールドフレームにおいて、第１面は、光学部材を支持し、第２面は第１面から延長され、ランプの一端部が挿入される挿入部と、各挿入部にはランプを固定するランプ固定部材が形成され、Ｕ字形冷陰極蛍光ランプのベンディング部と連結された直管部が互いに平行になるように配置されて、電流の漏洩現象を防止することができ、固定部材によって発生する温度偏差による輝線不良を防止する。【選択図】図１
2007053094.tif 000002
【特許請求の範囲】
【請求項１】
複数のランプの一端部をカバーし、前記ランプの上部に配置される光学部材を支持するモールドフレームにおいて、
前記光学部材を支持する第１面と、
前記第１面から延長され、前記一端部が挿入される挿入部と、各挿入部にランプを固定するランプ固定部材が形成された第２面と、
を含むことを特徴とするモールドフレーム。
【請求項２】
前記第１面から延長され、前記第２面に対向する第３面を更に含むことを特徴とする請求項１記載のモールドフレーム。
【請求項３】
前記ランプ固定部材は、前記第２面の一部から延長され、前記挿入部が定義する領域内に形成されることを特徴とする請求項１記載のモールドフレーム。
【請求項４】
前記ランプ固定部材は、前記挿入部の上部から下部方向に形成されることを特徴とする請求項３記載のモールドフレーム。
【請求項５】
前記挿入部は、前記第２面の一側端部が開口されたＵ字形状であることを特徴とする請求項４記載のモールドフレーム。
【請求項６】
前記ランプ固定部材は、前記挿入部の下部から上部方向に形成されることを特徴とする請求項１記載のモールドフレーム。
【請求項７】
前記挿入部は、前記第２面に形成された四角形状であることを特徴とする請求項６記載のモールドフレーム。
【請求項８】
前記ランプ固定部材は、前記ランプが装着される装着部を含むことを特徴とする請求項１記載のモールドフレーム。
【請求項９】
前記装着部は、前記装着されたフレームと接する面が凸形状であることを特徴とする請求項８記載のモールドフレーム。
【請求項１０】
前記装着部は半楕円形状を有し、前記ランプは前記装着部により短軸方向に加圧されることによって支持されることを特徴とする請求項８記載のモールドフレーム。
【請求項１１】
前記ランプ固定部材は、
前記装着部から第１方向に延長されて形成された第１ガイド部と、
前記装着部から第２方向に延長されて形成された第２ガイド部と、
を更に含むことを特徴とする請求項８記載のモールドフレーム。
【請求項１２】
前記モールドフレームは、ポリカーボネートからなることを特徴とする請求項１記載のモールドフレーム。
【請求項１３】
光を発生するランプと、
前記ランプの上部に配置され、前記光の輝度特性を向上させる光学部材と、
前記ランプの端部が挿入される挿入部と、各挿入部に形成されてランプを固定するランプ固定部材を含み、前記ランプの端部をカバーするモールドフレームと、
を含むことを特徴とするバックライトアセンブリ。
【請求項１４】
前記モールドフレームは、
前記光学部材を支持する第１面と、
前記第１面から延長され、前記ランプ固定部材が形成された第２面と、
を含むことを特徴とする請求項１３記載のバックライトアセンブリ。
【請求項１５】
前記モールドフレームは、前記第１面から延長され、前記第２面に対向する第３面を更に含むことを特徴とする請求項１４記載のバックライトアセンブリ。
【請求項１６】
前記ランプと前記光学部材が収納される収納容器を更に含み、
前記モールドフレームは、前記収納容器と一体に形成されることを特徴とする請求項１４記載のバックライトアセンブリ。
【請求項１７】
前記ランプ固定部材は、前記挿入部の上部から下部方向に向けて形成されることを特徴とする請求項１３記載のバックライトアセンブリ。
【請求項１８】
前記ランプ固定部材は、前記挿入部の下部から上部方向に向けて形成されることを特徴とする請求項１３記載のバックライトアセンブリ。
【請求項１９】
前記ランプ固定部材は、前記ランプが装着され、前記ランプが装着される面が凸形状に形成される装着部を含むことを特徴とする請求項１３記載のバックライトアセンブリ。
【請求項２０】
前記ランプは、Ｕ字形状を有することを特徴とする請求項１３記載のバックライトアセンブリ。
【請求項２１】
前記ランプは、管状であることを特徴とする請求項１３記載のバックライトアセンブリ。
【請求項２２】
光を発生する複数のランプと、
前記ランプの上部に配置され、前記光の輝度特性を向上させる光学部材と、
前記ランプの一端部が挿入される挿入部と、各挿入部に形成されてランプを固定するランプ固定部材を含み、前記ランプの一端部をカバーするモールドフレームと、
前記光学部材の上部に配置され、前記光学部材を経由した光を用いて画像を表示する表示パネルと、
を含むことを特徴とする表示装置。
【請求項２３】
複数のランプの一端部をカバーし、前記ランプの上部に配置される光学部材を支持するフレームにおいて、
前記光学部材を支持する第１面と、
前記第１面から延長され、前記ランプの前記一端部が挿入される挿入部と、
各挿入部には、前記ランプを固定し前記ランプと接する平坦な一面を有するランプ固定部が形成された第２面と、
を含むフレーム。
【請求項２４】
前記第１面から延長され、前記第２面に対向する第３面を更に含むことを特徴とする請求項２３記載のフレーム。
【請求項２５】
前記ランプ固定部は、前記第２面の一部から延長され、前記挿入部が定義する空間内に形成されることを特徴とする請求項２３記載のフレーム。
【請求項２６】
前記ランプ固定部は、前記挿入部の下部方向から上部方向に向けて形成されることを特徴とする請求項２５記載のフレーム。
【請求項２７】
前記挿入部は、前記第２面に形成された四角形状であることを特徴とする請求項２６記載のフレーム。
【請求項２８】
前記ランプ固定部は、前記ランプが装着される内側部を含むことを特徴とする請求項２３記載のフレーム。
【請求項２９】
前記ランプ固定部は、ランプが前記内側部に装着されるように終端が所定の傾斜に傾いたガイド部を更に含むことを特徴とする請求項２８記載のフレーム。
【請求項３０】
前記フレームは、弾性材質を含むことを特徴とする請求項２３記載のフレーム。
【請求項３１】
前記フレームは、ポリカーボネートで形成されたモールドフレームであることを特徴とする請求項３０記載のフレーム。
【請求項３２】
前記挿入部の幅は、前記ランプの管径の２倍以上であることを特徴とする請求項２３記載のフレーム。
【請求項３３】
前記挿入部の長さは、前記ランプ間のピッチと前記ランプ固定部の厚さとの和以上であることを特徴とする請求項２３記載のフレーム。
【請求項３４】
前記挿入部の幅は、前記ランプの管径の２倍以上であり、前記挿入部の長さは、前記ランプ間のピッチと前記ランプ固定部の厚さとの和以上であることを特徴とする請求項２３記載のフレーム。
【請求項３５】
光を発生するランプと、
前記ランプの上部に配置され、前記光の輝度特性を向上させる光学部材と、
前記ランプの端部が挿入される挿入部と、各挿入部に形成され、少なくとも一面が平坦に形成されて前記ランプを固定するランプ固定部を含み、前記ランプの端部をカバーするフレームと、
を含むことを特徴とするバックライトアセンブリ。
【請求項３６】
前記フレームは、
前記光学部材を支持する第１面と、
前記第１面から延長され、前記ランプ固定部材が形成された第２面と、
を含むことを特徴とする請求項３５記載のバックライトアセンブリ。
【請求項３７】
前記フレームは、前記第１面から延長され、前記第２面に対向する第３面を更に含むことを特徴とする請求項３６記載のバックライトアセンブリ。
【請求項３８】
前記ランプ固定部は、前記挿入部の下部方向から上部方向に向けて形成されることを特徴とする請求項３５記載のバックライトアセンブリ。
【請求項３９】
前記ランプ固定部は、前記ランプが装着され、前記ランプが装着される面が凸形状に形成される内側部を含むことを特徴とする請求項３８記載のバックライトアセンブリ。
【請求項４０】
前記ランプは、Ｕ字形状を有することを特徴とする請求項３５記載のバックライトアセンブリ。
【請求項４１】
前記ランプは、管状であることを特徴とする請求項３５記載のバックライトアセンブリ。
【請求項４２】
前記挿入部の幅は、前記ランプの管径の２倍以上であることを特徴とする請求項３５記載のバックライトアセンブリ。
【請求項４３】
前記挿入部の長さは、前記ランプ間のピッチと前記ランプ固定部の厚さとの和以上であることを特徴とする請求項４２記載のバックライトアセンブリ。
【請求項４４】
光を発生する複数のランプと、
前記ランプの上部に配置され、前記光の輝度特性を向上させる光学部材と、
前記ランプの一端部が挿入される挿入部と、各挿入部に形成され、少なくとも１つの平坦な面を有し、前記ランプを固定するランプ固定部を含み、前記ランプの一端部をカバーするフレームと、
前記光学部材の上部に配置され、前記光学部材を経由した光を用いて画像を表示する表示パネルと、
を含むことを特徴とする表示装置。
【請求項４５】
前記挿入部の幅が前記ランプの管径の２倍以上であることを特徴とする請求項４４記載の表示装置。
【請求項４６】
前記挿入部の長さは、前記ランプ間のピッチと前記ランプ固定部との和以上であることを特徴とする請求項４５記載の表示装置。
【発明の詳細な説明】
【技術分野】
【０００１】
本発明は、モールドフレーム、これを具備したバックライトアセンブリ及び表示装置に関わり、より詳細にはランプ固定構造を有するモールドフレーム、これを具備したバックライトアセンブリ及び表示装置に関わる。
【背景技術】
【０００２】
一般的に、表示装置は、情報処理装置で処理されたデータを使用者が認識できるようにインターフェイシングする装置に定義することができる。このような表示装置としては、小型かつ軽量化するとともに、良好な光解像度を具現するために平板パネル型表示装置が広く用いられている。
現在広く用いられている平板パネル型表示装置は液晶表示装置である。このような液晶表示装置は、電界の強度によって光透過度が変わる液晶を用いてディスプレイを行う装置と定義することができる。
【０００３】
このような液晶表示装置は、外部光源から提供される外部光を用いて画像を表示する透過型液晶表示装置、自然光を用いて画像を表示する反射型液晶表示装置及び外部光と自然光とをいずれも用いて画像を表示する反射透過型液晶表示装置に区分することができる。
透過型液晶表示装置は、表示パネルの後面に配置されたバックライトを外部光源として用いるものの、従来表示装置に採用されるバックライトアセンブリは、光源の配置によって直下型バックライトアセンブリとエッジ型バックライトアセンブリに区分する。
【０００４】
直下型バックライトアセンブリでは、表示パネルの下部に複数の光源が配置される。エッジ型バックライトアセンブリは、導光板の側面に光源が配置されて表示パネルに光を提供する。
直下型バックライトアセンブリに用いられる光源としては、冷陰極蛍光ランプ（ＣＣＦＬ）が代表的に用いられる。冷陰極蛍光ランプは、表示パネルに高輝度の光を提供するために複数の管状冷陰極蛍光ランプが表示パネルの下部に配置される。
【０００５】
この場合、管状冷陰極蛍光ランプを複数で構成することによって、バックライトアセンブリの製造費用が増加するようになり、また、管状冷陰極蛍光ランプそれぞれをバックライトアセンブリに配置するための固定部材、例えば、ホルダーなどのような固定部材が管状冷陰極蛍光ランプの両端に用いられ、バックライトアセンブリの製造費用が増加するという問題点がある。
【０００６】
このような問題点を解決するために、Ｕ字形冷陰極蛍光ランプを光源として用いる直下型バックライトアセンブリが提案された。
Ｕ字形冷陰極蛍光ランプを光源として用いる構造では、複数の管状冷陰極蛍光ランプを用いる構造に比べてより少ない数の冷陰極蛍光ランプで同一の輝度を有するバックライトアセンブリを製作することができる。
【０００７】
これによって、冷陰極蛍光ランプによる製造コスト増加の問題を防止し、固定部材の使用数量を減少させることで製造コスト増加の問題を防止することができる。
Ｕ字形冷陰極蛍光ランプを光源として用いる構造では、Ｕ字形冷陰極蛍光ランプのベンディング部にランプ固定部材を付着してＵ字形冷陰極蛍光ランプを支持する。
しかし、ランプ固定部材は、熱伝導体の役割をして、ベンディング部で発生する熱を放出し、ベンディング部の温度を低下する。ベンディング部の温度が低くなることによって、Ｕ字形冷陰極蛍光ランプに温度偏差が誘発される。このＵ字形冷陰極蛍光ランプの内部で発生する温度偏差によって、Ｕ字形冷陰極蛍光ランプの内部に含まれる水銀（Ｈｇ）が流動するようになる。
【０００８】
水銀（Ｈｇ）が流動することによって、Ｕ字形冷陰極蛍光ランプの内部で水銀（Ｈｇ）の濃度が低くなる低濃度領域が形成されるものの、低濃度領域で出射される光の輝度が低下する輝線不良が発生し、バックライトアセンブリから出射される光の輝度が低くなって、バックライトアセンブリの効率が低下するという問題点がある。
【発明の開示】
【発明が解決しようとする課題】
【０００９】
前述のような問題点を解決するための本発明の目的は、ランプ固定部材を有するモールドフレームを提供することにある。
本発明の他の目的は、前記モールドフレームを含むバックライトアセンブリを提供することにある。
本発明の他の目的は、前記モールドフレームを含む表示装置を提供することにある。
【課題を解決するための手段】
【００１０】
前記目的を達成するために本発明の一実施例によるモールドフレームは、第１面及び第２面を含む。複数のランプの一端部をカバーし、前記ランプの上部に配置される光学部材を支持するモールドフレームにおいて、前記第１面は、前記光学部材を支持する。前記第２面は、前記第１面から延長され、前記一端部が挿入される挿入部と、各挿入部にはランプを固定するランプ固定部材が形成される。
【００１１】
前記目的を達成するために、本発明の他の実施例によるフレームは、第１面及び第２面を含む。第１面は、光学部材を支持し、第２面は、第１面から延長され、一端部が挿入される挿入部と、各挿入部にはランプを固定するランプ固定部が形成される。ここで、ランプ固定部は、ランプと接する少なくとも一面を平坦に形成することができる。
本発明の他の目的を達成するために、本発明の一実施例によるバックライトアセンブリは、ランプ、光学部材及びモールドフレームを含む。前記ランプは、光を発生する。前記光学部材は、前記ランプの上部に配置され、前記光の輝度特性を向上させる。前記モールドフレームは、前記ランプの端部が挿入される挿入部と、各挿入部に形成されてランプを固定するランプ固定部材を含み、前記ランプの端部をカバーする。
【００１２】
本発明の他の目的を達成するために、本発明の他の実施例によるバックライトアセンブリは、ランプ、光学部材、及びフレームを含む。前記ランプは、光を発生する。前記光学部材は、前記ランプの上部に配置され、前記光の輝度特性を向上させる。フレームは、ランプの端部が挿入される挿入部と、各挿入部に形成され、少なくとも一面が平坦に形成されてランプを固定するランプ固定部を含み、ランプの端部をカバーする。
【００１３】
本発明の更に他の目的を達成するために、本発明の一実施例による表示装置は、ランプ、光学部材、モールドフレーム及び表示パネルを含む。前記ランプは、光を発生する。前記光学部材は、前記ランプの上部に配置され、前記光の輝度特性を向上させる。前記モールドフレームは、前記ランプの一端部が挿入される挿入部と、各挿入部に形成されてランプを固定するランプ固定部材を含み、前記ランプの一端部をカバーする。前記表示パネルは、前記光学部材の上部に配置され、前記光学部材を経由した光を用いて画像を表示する。
【００１４】
本発明の更に他の目的を達成するために、本発明の他の実施例による表示装置は、ランプ、光学部材、モールドフレーム及び表示パネルを含む。ランプは光を発生し、光学部材は、ランプの上部に配置され、光の輝度特性を向上させる。フレームは、ランプの一端部が挿入される挿入部と、各挿入部に形成され、少なくとも１つの平坦な面を有し、ランプを固定するランプ固定部を含み、前記ランプの一端部をカバーする。表示パネルは、光学部材の上部に配置され、前記光学部材を経由した光を用いて画像を表示する。
【００１５】
このようなフレーム、これを具備するバックライトアセンブリ及び表示装置によると、Ｕ字形冷陰極蛍光ランプのベンディング部と連結された直管部が互いに平行に配置され、電流漏洩現象を防止することができる。また、Ｕ字形蛍光ランプを支持するための固定部材によって発生する温度偏差の問題を防止することで、バックライトアセンブリの輝線不良を防止することができる。
【発明の効果】
【００１６】
前述のような本発明によると、モールドフレームに形成された固定部材を用いてＵ字形冷陰極蛍光ランプのベンディング部と連結された直管部とが互いに平行に配置されることによって、電流の漏洩現象を防止し、Ｕ字形冷陰極蛍光ランプを用いるバックライトアセンブリの効率を向上させることができる。
また、モールドフレームに形成されたランプ固定部材を用いてＵ字形蛍光ランプを支持するための固定部材によって発生する温度偏差の問題を防止することでバックライトアセンブリの輝線不良を防止することができ、これを用いる表示装置の表示品質を向上させることができる。
【００１７】
以上、本発明の実施例によって詳細に説明したが、本発明はこれに限定されず、本発明が属する技術分野において通常の知識を有するものであれば本発明の思想と精神を離脱することなく、本発明を修正または変更できる。
【発明を実施するための最良の形態】
【００１８】
以下、本発明による望ましい実施例を添付した図面を参照して詳細に説明する。
図１は、本発明の一実施例によるモールドフレームを示した斜視図である。
図１に示すように、本発明の一実施例によるモールドフレーム１００は、光学部材（図示せず）を支持する第１面１１０、第１面１１０から延長され、ランプ（図示せず）を固定する第２面１２０を含む。
【００１９】
また、モールドフレーム１００は、第１面１１０から延長され、第２面１２０に対向する第３面１３０を更に含む構成とすることができる。
モールドフレーム１００は、光学部材を支持し、ランプの端部に形成される暗部が外部に露出しないようにし、このモールドフレーム１００を用いるバックライトアセンブリの輝度特性を向上させる。
【００２０】
具体的に、モールドフレーム１００が第３面１３０を含む場合、第３面１３０は、モールドフレーム１００が収納される収納容器（図示せず）の内側壁と接触し、モールドフレーム１００を支持し、所定長さに形成され、ランプと光学部材とを離間させる。望ましくは、第３面１３０は、収納容器の内側壁と平行するように収納容器の底面に対して垂直に形成される。
【００２１】
第１面１１０は、第２面１２０と第３面１３０との上端を連結し、光学部材を支持する。第１面１１０は、第３面１３０に対して垂直な方向に延長されることが望ましい。これによって、第１面１１０は、収納容器の底面に平行になるように形成され、光学部材を支持する。
第２面１２０は、第１面１１０から延長され、第３面１３０に対向する。第１〜第３面（１１０、１２０、１３０）によって定義される領域１５０には、ランプの一端部に形成される暗部を含み、この暗部はモールドフレーム１００によって遮蔽される。
【００２２】
第２面１２０は、所定の傾斜面を有するように形成することができ、これによってランプから出射する光を上部方向に反射して、バックライトアセンブリの輝度特性をより向上させることができる。傾斜面には、反射部材を更に形成することで、バックライトアセンブリの輝度特性を更に向上させることができる。
また、第２面１２０には、ランプが挿入されて第１〜第３面（１１０、１２０、１３０）によって定義される領域１５０にランプの一端部を配置する挿入部１２１が形成される。また、挿入部１２１には、ランプを固定するランプ固定部材１２２がそれぞれ形成される。
【００２３】
これについて、より具体的に説明する。
図１０は、比較例によるランプ固定部材を説明するための図面であり、図１１は、図１０に示したランプ固定部材を用いるバックライトアセンブリを概略的に示した断面図である。
図１０及び図１１に示すように、ランプ固定部材２０は、ランプ３０、モールドフレーム４０、光学部材５０が収納される収納容器１０を貫通して収納容器１０に締結される。ここで、ランプ３０は、Ｕ字形冷陰極蛍光ランプで構成される。
【００２４】
ランプ固定部材２０は、ホルダー型に形成され、ランプ３０のベンディング部３１の中心領域に締結されて、ランプ３０を収納容器１０の底面１１から所定間隔だけ離間して配置する。また、ランプ３０のベンディング部３１を中心として形成される第１直管部３２及び第２直管部３３を底面１１に対して平行な同一平面上に配置されるように固定する。
しかし、図１０と図１１に示した構造でランプ固定部材２０を形成した場合、ランプ固定部材２０が熱伝導体の役割を果たしてベンディング部３１で発生する熱を収納容器１０の外部に放出させる。
【００２５】
これによって、ベンディング部３１の温度が低下し、ランプ３０の温度偏差が発生し、ランプ３０の内部に含まれる水銀（Ｈｇ）が流動する。水銀（Ｈｇ）が流動することによって、水銀（Ｈｇ）の濃度が低くなる部分から出射する光の輝度が低下するようになり、輝線不良が発生する。これは、ランプ固定部材２０を用いるバックライトアセンブリの輝度特性を低下させる。
【００２６】
図１２は、他の比較例によるランプ固定部材を説明するための図面であり、図１３は、ランプの位置別温度測定ポイントを示した図面であり、図１４は、図１０と図１２に示したランプ固定部材による温度差を比較して示したグラフであり、図１５は、図１２に示したランプ固定部材によって固定されたランプを概略的に示した図である。
図１２に示すように、図１０と図１１に示したランプ固定部材２０による温度偏差の問題を解決するためにリング状ランプ固定部材７０を用いる。
【００２７】
ランプ固定部材７０は、Ｕ字形冷陰極蛍光ランプ（以下、ランプ）８０のベンディング部８１の中心領域に締結され、ベンディング部８１を中心として形成される第１直管部８２及び第２直管部８３が収納容器６０の底面６１に対して平行な同一平面上に配置されるように支持する。
ランプ固定部材７０がベンディング部８１に締結された状態でランプ８０が収納容器６０に収納され、ランプ８０の第１直管部８２及び第２直管部８３がモールドフレーム９０の挿入部９１に挿入されるので、ランプ固定部材７０が締結されたベンディング部８１がモールドフレーム９０によって遮蔽される。
【００２８】
リング状のランプ固定部材７０を用いることによって温度差偏差の問題は図１３と図１４に示したように解決することができる。
図１３に示したランプ８０のそれぞれの温度測定ポイント（Ｐ１，…，Ｐ９）で図１０に示したランプ固定部材２０と図１２に示したランプ固定部材７０をそれぞれランプ（３０、８０）のベンディング部（３１、８１）に装着した状態で測定すると図１４のような測定結果を得ることができる。
【００２９】
即ち、図１２に示したリング状ランプ固定部材７０を用いた場合、図１０に示したホルダー型ランプ固定部材２０に比べてランプ３０と接触面積が小さく形成され、収納容器６０の外部から遮断される。これによって、収納容器６０の外部にベンディング部８１で発生する熱の放出量が減少し、ランプ８０の位置による温度偏差を減少させることができる。
【００３０】
したがって、ランプ８０の内部に含まれる水銀（Ｈｇ）の流動を防止し、水銀（Ｈｇ）の濃度が低くなる部分から出射する光の輝度が低下することにより発生する輝線不良の問題点が改善される。
しかし、リング状ランプ固定部材７０を用いる場合、ランプ８０のベンディング部８１の中心領域にランプ固定部材７０を締結することで、第１直管部８２及び第２直管部８３が収納容器６０の底板６１に対して平行な同一平面上に配置されるように形成されるが、リング状のランプ固定部材７０の形状によっては、第１直管部８２と第２直管部８３は、同一平面上に配置されず、図１５に示したように一側に傾くねじれが発生する。
【００３１】
しがって、ランプ８０による他の固定部材を追加的に構成しない限り、第１直管部８２と第２直管部８３は、ねじれ現象によって収納容器６０の底板６１に対して高い偏差を有するように配置される。
第１直管部８２と第２直管部８３の高さ偏差によって、相対的に収納容器６０により近く配置される直管部において電流漏洩現象が発生して、リング状ランプ固定部材７０を用いるバックライトアセンブリの電気利用効率が低下する。
【００３２】
また、リング状ランプ固定部材７０を用いたバックライトアセンブリを表示装置に適用した場合、モールドフレーム９０の挿入部９１とランプ８０が振動などによって相互衝突してランプ８０が破損するという問題点があり、表示装置に用いられるスピーカー音などによって干渉ノイズが発生してバックライトアセンブリの輝度特性が低下するという問題点もある。
【００３３】
また、ランプ８０のねじれを防止するために、追加的に固定部材を更に含んだ場合、これのための製造工程が追加され、バックライトアセンブリの製造コストが上昇する。
再び図１を参照すると、前述した問題点を解決するために、第３面１２０に形成される挿入部１２１にランプ固定部材１２２をモールドフレーム１００の製造時に同時に形成する。
【００３４】
これについてより具体的に説明する。
図２は、図１のＡ領域を拡大した図であり、図３は、ランプ固定部材にランプが装着されたことを示した図である。
図１と図２とを参照すると、モールドフレーム１００の第２面１２０には、ランプ１４０が挿入される複数の挿入部１２１が形成され、挿入部１２１にはそれぞれランプ固定部材１２２が形成される。
【００３５】
挿入部１２１は、第２面１２０の一側端部、即ち、収納容器（図示せず）の底面と接触する一側端部で第１面１１０の方向に陥入されたＵ字形状を有する。
ランプ固定部材１２２は、第２面１２０の一部から延長され、挿入部１２１が定義する領域内に形成される。一例として、ランプ固定部材１２２は、挿入部１２１の上側エッジから下部方向に向けて突出形成される。
【００３６】
ランプ固定部材１２２は、装着部１２２ａ及びガイド部１２２ｂを含む。
装着部１２２ａは、ランプ１４０が挿入されるための開口部１２２ｅを含み、装着部１２２ａは、開口部１２２ｅを含む形状とそれの材質によって所定の弾性を有する。例えば、モールドフレーム１００の材質としてはポリカーボネート（Polycarbonate；ＰＣ）を用いることができ、この場合、ランプ固定部材１２２は、これと同様にＰＣで形成される。
【００３７】
ランプ固定部材１２２の開口部１２２ｅにランプ１４０を接触させ、ランプ１４０を装着部１２２ａの方向に加圧することによって開口部１２２ｅが弾性によって所定大きさに拡張され、ランプ１４０を装着部１２２ａに挿入することができる。
ガイド部１２２ｂは、ランプ１４０が装着部１２２ａに装着されるように挿入時のガイドをする。このために、ガイド部１２２ｂは、開口部１２２ｅからそれぞれ第１方向（Ｄ１）に延長された第１ガイド部１２２ｃと第２方向（Ｄ２）に延長された第２ガイド部１２２ｄを含む。
【００３８】
開口部１２２ｅにランプ１４０を接触した状態で加圧することによりランプ１４０を装着し、開口部１２２ｅの弾性によってランプ１４０が離脱することを防止するように構成する場合、ランプ１４０をランプ固定部材１２２に取り付ける作業を容易にするために、ガイド部１２２ｂを形成することが好ましい。
また、開口部１２２ｅの方向、即ち、ランプ１４０の組立方向は、第１方向（Ｄ１）と第２方向（Ｄ２）とが形成する角度の１／２角度で形成する。これは、外部からの衝撃によって第１方向（Ｄ１）と第２方向（Ｄ２）に発生する振動によってランプ１４０がランプ固定部材１２２から離脱することを防止するためである。
【００３９】
また、装着部１２２ａは、開口部１２２ｅにランプ１４０を配置した状態における加圧時、開口部１２２ｅと同時に拡張され、装着部１２２ａに挿入されるランプ１４０は、装着部１２２ａが拡張されることによって発生する弾性による復元力によって加圧され、装着部１２２ａに固定される。これによって、ランプ固定部材１２２にランプ１４０が装着された状態を図３に示した。
【００４０】
図４は、本発明の他の実施例によるモールドフレームを示した斜視図である。
図４に示すように、本発明の他の実施例によるモールドフレーム２００は、光学部材（図示せず）を支持する第１面２１０及びランプ（図示せず）を固定する固定部材２２２が形成された第２面２２０を含む。
また、モールドフレーム２００は、第１面２１０から延長され第２面２２０に対向する第３面２３０を更に含むこともできる。
【００４１】
具体的に、モールドフレーム２００が第３面２３０を含む場合、第３面２３０は、モールドフレーム２００が収納される収納容器（図示せず）の内側壁と接触してモールドフレーム２００を支持し、所定長さで形成され、ランプと光学部材を離間させる。望ましくは、第３面２３０は、収納容器の内側壁と平行するように収納容器の底板に対して垂直に形成される。
【００４２】
第１面２１０は、第２面２２０と第３面２３０との上面を連結し、光学部材を支持する。第１面２１０は、第３面２３０に対して垂直な方向に延長されることが望ましい。これによって、第１面２１０は、収納容器の底板と水平に形成され、光学部材を支持する。
第２面２２０は、第１面２１０から延長され、第３面２３０と互いに対向する。第１〜第３面（２１０、２２０、２３０）によって定義される領域２５０には、ランプの一端部に暗部が形成され、この暗部はモールドフレーム２００によって遮蔽される。
【００４３】
また、第２面２２０は、所定の傾斜面を有するように形成することで、ランプから出射される光を上部方向に反射してバックライトアセンブリの輝度特性をより向上することができる。傾斜面には、反射部材を更に含んで形成することで、バックライトアセンブリの輝度特性を更に向上させることができる。
なお、第２面２２０には、ランプが挿入され、第１〜第３面（２１０、２２０、２３０）によって定義される領域２５０にランプの一端部を配置させる挿入部２２１が形成される。また、挿入部２２１には、ランプを支持するランプ固定部材２２２がそれぞれ形成される。
【００４４】
挿入部２２１は、第２面２２０上に四角形状に形成された貫通孔である。
挿入部２２１とランプ固定部材２２２についてより具体的に説明する。
図５は、図４のＢ領域を拡大した図である。
図４と図５に示すように、モールドフレーム２００の第２面２２０には、複数の挿入部２２１が形成され、挿入部２２１には、それぞれランプ固定部材２２２が形成される。
【００４５】
挿入部２２１は、第２面２２０の一側端部、即ち、モールドフレーム２００が収納される収納容器（図示せず）の底面と接触する一側端部から第１面２１０の方向に所定距離だけ離間して形成される貫通孔であり、挿入部２２１は、一例として、四角形状に形成される。
ランプ固定部材２２２は、第２面２２０の一部から延長されて挿入部２２１が定義する領域内に形成される。
【００４６】
ランプ固定部材２２２は、挿入部２２１が４辺を有する四角形状に形成され、４辺のうち、第１面２１０に最も近接した辺を第１辺、第１辺と対向する辺を第２辺、第１辺及び第２辺の左側及び右側でそれぞれ連結される辺を第３辺及び第４辺に定義した場合、第２辺から前記第１辺の方向に突出形成される。
また、ランプ固定部材２２２は、ランプ２４０をＵ字形冷陰極蛍光ランプで構成した場合、１つの挿入部２２１にランプ２４０を支持する２つのランプ固定部材２２２が形成される。
【００４７】
ランプ固定部材２２２は装着部２２２ａを含む。
装着部２２２ａは、ランプ２４０を挿入するための開口部２２２ｂが形成され、装着部２２２ａは開口部２２２ｂを含む形状とその材質によって所定の弾性を有する。例えば、モールドフレーム２００の材質としてはＰＣを用いても良く、ランプ固定部材２２２はこれと同様にＰＣで形成しても良い。
【００４８】
ランプ固定部材２２２の開口部２２２ｂにランプ２４０を接触させ、ランプ２４０を装着部２２２ａの方向に加圧することによって、開口部２２２ｂが弾性によって所定大きさで拡張され、ランプ２４０が装着部２２２ａに挿入される。
また、ランプ固定部材２２２は、図２に示したようなガイド部１２２ｂを更に含んだ構造で形成することができる。しかし、図５に示したように、ランプ２４０が挿入部２２１内に挿入されるとき、Ｕ字形冷陰極蛍光ランプのベンディング部２４１がランプ固定部材２２２の上部に挿入され、ランプ２４０を装着部２２２ａ方向に加圧時、垂直下方に加圧することから、ランプ固定部材２２２には、図２の実施形態で示したようなガイド部１２２ｂの構成を用いる必要がない。
【００４９】
また、装着部２２２ａは、開口部２２２ｂにランプ２４０を配置した状態での加圧時、開口部２２２ｂと同時に拡張し、装着部２２２ａに装着されるランプ２４０は、装着部２２２ａが拡張されることによって発生する弾性による復元力によって加圧され、装着部２２２ａに固定される。
図６は、本発明の一実施例によるランプ固定部材の形状を説明するためにランプとの締結状態を示す図であり、図７は、本発明の一実施例によるランプ固定部材の形状を説明するためにランプとの締結状態を示した他の図である。
【００５０】
特に、図６と図７には、図の簡略化及び理解の便宜のために図４に示したランプ固定部材を示した。
図４〜図６に示すように、ランプ固定部材２２２は、第２面２２０と実質的に同一の厚さで形成されている。このランプ固定部材２２２の装着部２２２ａは、厚さ方向の中心部（Ｃ）が厚さ方向の両端（Ｅ１、Ｅ２）に比べて、装着されるランプ２４０の方向に向けて突出するように形成されており、即ち、ランプ２４０と接する面が厚さ方向に凸形状を有するように形成される。
【００５１】
装着部２２２ａの形状は、厚さ方向の中心部（Ｃ）が厚さ方向の両端に比べて突出した凸形状に形成されていることが好ましく、この厚さ方向の中心部（Ｃ）と両端（Ｅ１、Ｅ２）とを結ぶ形状は多様な形態に構成することができる。
装着部２２２ａの内側形状を厚さ方向中心部（Ｃ）が突出した凸形状に形成することで、ランプ固定部材２２２とランプ２４０とが接触する面積を減少させることができ、これによってランプ２４０がランプ固定部材２２２に装着される部分でランプ２４０から発生する熱の放出を防止することができる。
【００５２】
同一の理由から、図７に示したように、装着部２２２ａは、ランプ２４０の外周面と接触する面積を減少させるために半楕円形状に形成する。
装着部２２２ａが半楕円形状に形成され、装着部２２２ａが所定の弾性を有するので、ランプ２４０は、装着部２２２２ａの短軸方向（Ｄ１）で発生する弾性による復元力によってランプ２４０の外周面の一部分のみが接触されて加圧支持される。
【００５３】
これによって、装着部２２２ａの長軸方向（Ｄ２）の内周部と、ランプ２４０に直接接触しない短軸方向（Ｄ１）の一部領域の内周部とにおいて、ランプ２４０と接触しない非接触領域（ＮＴＡ）が形成される。
ランプ固定部材２２２の装着部２２２ａの形状を前述したように適宜形成することによって、ランプ２４０との接触領域を最小化することができ、ランプ２４０からランプ固定部材２２２を通じて放出する熱量を減少することができる。
【００５４】
図８は、本発明の一実施例によるバックライトアセンブリの分解斜視図である。
図８に示すように、本発明の一実施例によるバックライトアセンブリ５００は、モールドフレーム１００、複数のランプ１４０、光学部材３００及び収納容器４００を含む。光学部材３００は、拡散板３１０、光学シート３２０及び反射板３３０を含む。また、ランプ１４０は、一例として、Ｕ字形冷陰極蛍光ランプで構成される。
【００５５】
収納容器４００は、底面４１０及び底面４１０から折曲がって延長された側壁４２０を含み、底面４１０と側壁４２０によって定義された収納空間にモールドフレーム１００、複数のランプ１４０及び光学部材３００を収納する。
複数のランプ１４０の上部には、拡散板３１０及び光学シート３２０が配置される。拡散板３１０及び光学シート３２０は、複数のランプ１４０から出射した光を拡散させてバックライトアセンブリ５００の輝度均一性及び視野角を向上させる。
【００５６】
複数のランプ１４０と底面４１０との間には、反射板３３０が配置される。反射板３３０は、複数のランプ１４０から漏洩した光を拡散板３１０の方向に反射することで、バックライトアセンブリ５００の光効率を向上させる。
モールドフレーム１００は、第１サイドモールド１０１及び第２サイドモールド１０２を含む。第１サイドモールド１０１は、複数のランプ１４０のベンディング部１４１をカバーし、第２サイドモールド１０２は、複数のランプ１４０の直管部（１４２、１４３）の端部、即ち、第１端部１４２ａと第２端部１４３ａをカバーする。
【００５７】
第１サイドモールド１０１は、図１〜図７で説明したモールドフレームと同一に形成される。したがって、それの重複される詳細な説明は省略する。
第２サイドモールド１０２は、第１サイドモールド１０１と同一形状に形成することができる。即ち、第２サイドモールド１０２には、第１端部１４２ａ及び第２端部１４３ａが挿入される挿入部（図示せず）が形成され、挿入部には、第１サイドモールド１０２と同一の形状を有するランプ固定部材を形成することができる。
【００５８】
また、第１端部１４２ａ及び第２端部１４３ａに外部電源を供給するためのコネクタがホルダー形状に形成される場合、第２サイドモールド１０２はランプ固定部材を省略した構造で形成することもできる。
また、本発明の一実施例では、モールドフレーム１００をバックライトアセンブリ５００の独立した構成要素として表現したが、モールドフレーム１００は、収納容器４００と一体に形成することができる。
【００５９】
即ち、収納容器４００の側壁４２０のうち、ランプ１４０のベンディング部１４１またはランプ１４０の直管部（１４２、１４３）それぞれの端部（１４２ａ、１４３ａ）と対向する側壁をモールドフレーム１００の第３面１３０として構成することで、収納容器４００とモールドフレーム１００を一体型に形成することができる。
これによって、モールドフレーム１００の第１面１１０と第２面１２０が収納容器４００の側壁４２０から延長されて形成され、第２面１２０にランプ固定部材１２２を形成することで、独立的に形成されたモールドフレームと同一の効果を得ることができる。
【００６０】
図９は、本発明の一実施例による表示装置の分解斜視図である。
図９に示すように、本発明の一実施例による表示装置９００は、光を発生するバックライトアセンブリ５００及び画像を表示する表示パネルアセンブリ６００を含む。
バックライトアセンブリ５００は、光を発生して表示パネルアセンブリ６００に提供する。バックライトアセンブリ５００は、図１〜図８を通じて前述したので、重複する説明は省略する。
【００６１】
表示パネルアセンブリ６００は、画像を表示する液晶表示パネル６１０、データ印刷回路基板６２０及びゲート印刷回路基板６３０、データ可撓性フィルム６４０及びゲート可撓性フィルム６５０を含む。データ印刷回路基板６２０及びゲート印刷回路基板６３０は、データ可撓性フィルム６４０及びゲート可撓性フィルム６５０を通じて液晶表示パネル６１０に電気的に接続される。データ可撓性フィルム６４０及びゲート可撓性フィルム６５０それぞれには、データ印刷回路基板６２０及びゲート印刷回路基板６３０から提供される各種制御信号を液晶表示パネル６１０を駆動するための駆動信号に変換して出力するデータ駆動チップ６４１及びゲート駆動チップ６５１が実装される。
【００６２】
液晶表示パネル６１０は、薄膜トランジスタ（以下、ＴＦＴという）基板６１１、ＴＦＴ基板６１１に対向して結合されるカラーフィルタ基板６１２及びＴＦＴ基板６１１とカラーフィルタ基板６１２との間に介在する液晶層６１３を含む。
ＴＦＴ基板６１１は、スイッチング素子であるＴＦＴ（図示せず）がマトリクス形態に形成された透明なガラス基板である。ＴＦＴのソース端子及びゲート端子には、それぞれデータライン及びゲートラインが接続され、ドレイン端子には透明な導電性材質からなる画素電極（図示せず）が接続される。
【００６３】
カラーフィルタ基板６１２は、色画素であるＲＧＢ画素（図示せず）及び透明な導電性材質からなる共通電極（図示せず）が形成された基板である。
表示装置９００は、ガイドフレーム７００及びトップシャーシ８００を更に含む。ガイドフレーム７００は、バックライトアセンブリ５００と液晶表示パネル６１０との間に配置され、拡散板３１０と光学シート３２０を指定された位置に固定し、液晶表示パネル６１０の収納位置をガイドする。
【００６４】
トップシャーシ８００は、液晶表示パネル６１０のエッジを囲みかつ収納容器４００に締結され、液晶表示パネル６１０をバックライトアセンブリ５００の上部に固定する。
トップシャーシ８００は、外部衝撃による液晶表示パネル６１０の破損を防止し、液晶表示パネル６１０がバックライトアセンブリ５００から離脱することを防止する。
図１６は、本発明の一実施例によるモールドフレームを示した斜視図である。
【００６５】
図１６に示すように、本発明の実施例によるモールドフレーム１００は、光学部材（図示せず）を支持する第１面１１０及びランプ（図示せず）を固定するランプ固定部１２２が形成された第２面１２０を含む。第２面１２０に形成されたランプ固定部１２２は、第１面１１０と第２面１２０の連結部から離間して配置され、ランプと光学部材を離間する。
【００６６】
また、モールドフレーム１００は、第１面１１０から延長され、第２面１２０に対向する第３面１３０を更に含むこともできる。
具体的に、モールドフレーム１００が第３面１３０を含む場合、第３面１３０は、モールドフレーム１００が収納される収納容器（図示せず）の内側壁と接触してモールドフレーム１００を支持する。望ましくは、第３面１３０は、収納容器の内側壁と平行であるように収納容器の底面に対して垂直に形成される。
【００６７】
また、モールドフレーム１００は、第２面１２０と第３面１３０のいずれか一面から延長され、互いに連結された第４面１４０、第４面から突出して形成された第５面１５０を更に含むことができる。
具体的に、モールドフレーム１００が第４面１４０を含む場合、第４面はモールドフレーム１００が収納される収納容器（図示せず）の内側壁と接触してモールドフレーム１００を支持する。望ましくは、第４面１４０は、収納容器の内側壁と平行であるように収納容器の底面に対して垂直に形成される。また、第５面１５０は、モールドフレーム１００が収納容器の内側壁に固定されるようにする。ここで、第５面１５０は、収納容器の内側壁に固定されるように固定ホール１５１を更に含むことができる。
【００６８】
第１面１１０は、第２面１２０または第３面１３０から延長され、光学部材を支持する。第１面１１０は、第３面１３０に対して垂直な方向に延長されることが望ましい。これによって、第１面１１０は、収納容器の底面と水平に形成されて光学部材を支持する。
第２面１２０は、第１面１１０から延長され、第３面１３０に対向する。第１〜第３面（１１０、１２０、１３０）によって定義される空間（図示せず）にはランプの一端部が配置される。ここで、ランプの一端部で発生する光はモールドフレーム１００によって遮蔽される。
【００６９】
また、第２面１２０は、所定の傾斜面を有するように形成することで、ランプから出射する光を上部方向に反射してバックライトアセンブリの輝度特性をより向上させることができる。傾斜面には反射部材を更に含んで形成することで、バックライトアセンブリの輝度特性を更に向上させることもできる。
第２面１２０には、ランプが挿入されて第１〜第３面（２１０、２２０、２３０）によって定義される空間にランプの一端部を配置させる挿入部１２１が形成される。また、挿入部１２１にはランプを支持するランプ固定部１２２がそれぞれ形成される。
【００７０】
挿入部１２１は、第２面１２０上に、例えば、四角形状に形成された貫通孔である。
挿入部１２１とランプ固定部１２２についてより具体的に説明する。
図１７は、図１６のＣ領域を拡大して示した図である。図１８は、他の実施例による図１６のＣ領域を拡大して示した図である。
図１６と図１７に示すように、モールドフレーム１００の第２面１２０には複数の挿入部１２１が形成され、挿入部１２１にはそれぞれランプ固定部１２２が形成される。
【００７１】
挿入部１２１は、第２面１２０の一側端部、即ち、モールドフレーム１００が収納される収納容器（図示せず）の底面と接触する一側端部から第１面１１０方向に所定距離だけ離間して形成される貫通孔であり、挿入部１２１は一例として、四角形状を有するように形成される。
ランプ固定部１２２は、第２面１２０の一部から延長されて挿入部１２１の領域内に形成される。望ましくは、ランプ固定部１２２は、挿入部１２１によって形成された面のうち、下面から上面に突出形成される。しかし、ランプ固定部１２２は、上面から下面、左面から右面、または右面から左面に突出して形成することができ、本発明が実施例に限定されるものはない。
【００７２】
ランプ固定部１２２は、ランプ１４０をＵ字形冷陰極蛍光ランプで構成した場合、１つの挿入部１２１にランプ１４０を支持する２つのランプ固定部１２２が形成される。
ランプ固定部１２２は、ランプ１４０が挿入されてランプ１４０と接触する内側部１２２ａ、ランプ１４０を挿入できるように形成された開口部１２２ｂを含む。
内側部１２２ａは、ランプ１４０を挿入するための開口部１２２ｂが形成され、内側部１２２ａは開口部１２２ｂを含む形状とその材質によって所定の弾性を有する。例えば、フレーム１００の材質としては、ポリカーボネートを用いてもよく、ランプ固定部１２２は、これと同様にポリカーボネートで形成してもよい。本実施例では、フレーム１００は、ポリカーボネートを用いるが、射出成型が可能な樹脂材料を用いてもよく、本発明が実施例にのみ限定されるものはない。
【００７３】
ランプ固定部１２２の開口部１２２ｂにランプ１４０を接触させ、ランプ１４０を内側部１２２ａ方向に加圧することによって開口部１２２ｂが弾性によって所定大きさに拡張されてランプ１４０が内側部１２２ａに挿入される。
図１６及び図１８に示すように、ランプ固定部１２２は、ランプ１４０が内側部１２２ａに装着されるように終端が所定の傾斜角で傾いたガイド部１２２ｃを更に含む構造で形成することもできる。ガイド部１２２ｃは、ランプ１４０が内側部１２２ａに装着される際に挿入のガイドとなる。このために、ガイド部１２２ｃは、開口部１２２ｂの終端から外の方向に延長される。このように、開口部１２２ｂにランプ１４０を接触した状態で加圧することでランプ１４０を装着し、開口部１２２ｂの弾性によりランプ１４０が離脱することを防止するように構成する場合、ランプ１４０をランプ固定部１２２に装着する作業の便宜性を図るためにガイド部１２２ｃを形成することが好ましい。ここで、ランプ固定部１２２は、図１７に示したようにランプ１４０が挿入部１２１内に挿入されるとき、Ｕ字形冷陰極蛍光ランプのベンディング部２４１がランプ固定部１２２の上部に挿入され、ランプ１４０を内側部１２２ａの方向に加圧するとき、垂直下方に加圧するため、ガイド部１２２ｃを形成しなくてもよい。
【００７４】
内側部１２２ａは、開口部１２２ｂにランプ１４０を配置した状態で加圧する時、開口部１２２ｂと同時に拡張され、内側部１２２ａに装着されるランプ１４０は、内側部１２２ａが拡張されることによって発生する弾性による復元力によって加圧され、内側部１２２ａに固定される。
本実施例で、挿入部１２１の上面からランプ１４０までの長さ（Ｌ１）、挿入部１２１の長さ（Ｌ２）及びランプ管径（Ｄ）とランプ１４０とのピッチ（Ｐ）の間には下記のような関係がある。
（数式１）
Ｌ１＞Ｄ
ランプ１４０までの長さ（Ｌ１）は、ランプ管径（Ｄ）より大きくなければならない。即ち、挿入部１２１の幅は、ランプ管径の２倍より大きくなければならない。このようにランプ１４０を挿入部１２１に挿入して固定するために、ランプ１４０までの長さ（Ｌ１）は、ランプ管径（Ｄ）より大きく形成してのみランプ１４０を挿入部１２０に挿入することができる。
（数式２）
Ｌ２＞Ｐ＋ランプ固定部１２２の厚さ
挿入部１２１の長さ（Ｌ２）は、ランプ１４０間のピッチ（Ｐ）とランプ管径（Ｄ）とランプ固定部１２２との厚さを足した長さより大きくなければならない。即ち、ランプ１４０間のピッチ（Ｐ）とランプ固定部１２２との厚さを足すと、挿入部１２１の長さの最小値になる。言い換えれば、ランプ１４０を挿入部１２１に安全に挿入して固定するためには、少なくともランプ１４０間のピッチ（Ｐ）にランプ固定部１２２の厚さを足した長さ（Ｌ２）だけが確保されている場合のみランプ１４０を挿入部１２１に挿入することができる。
【００７５】
図１９は、本発明の一実施例によるランプ固定部の形状を説明するためにランプと締結状態を示した図であり、図２０は、本発明の一実施例によるランプ固定部の形状を説明するためにランプと締結状態を示した他の図である。
図１６〜図１９に示すように、ランプ固定部１２２は、第２面１２０の厚さと実質的に同一の厚さで形成され、ランプ固定部１２２の内側部１２２ａは厚さ方向の中心部（Ｃ）が厚さ方向の両端（Ｅ１、Ｅ２）に比べて、装着されるランプ１４０の方向に突出するように、即ち、ランプ１４０と接する面が凸形状を有するように形成される。内側部１２２ａの形状は、厚さ方向の中心部（Ｃ）が厚さ方向の両端（Ｅ１、Ｅ２）に比べて突出した凸形状に形成され、中心部（Ｃ）と両端（Ｅ１、Ｅ２）とを連結する形状は多様な形態で形成することができる。
【００７６】
図２０に示したように、ランプ１４０の外周面と接触する面積を減少させるために、ランプ１４０の左側、右側及び下側と接触する面を扁平な形状に形成した内側部１２２ａとすることができる。内側部１２２ａは、ランプ１４０の挿入時、所定の弾性を有し、ランプ１４０は内側部１２２ａの短縮方向（Ｄ１）で発生する弾性による復元力によってランプ１４０の外周面の一部分のみが接触されて加圧支持される。
【００７７】
内側部１２２ａがランプ１４０の外周面と接触する面積が広いほど、接触する位置におけるランプ１４０の温度が低下し、ランプ１４０に温度偏差が発生する。ここで、ランプ３０の内部に含まれる銀（Ｈｇ）の分布は、不均一になる。水銀（Ｈｇ）の分布が不均一になることによって、水銀（Ｈｇ）の濃度が低くなる部分から出射する光の輝度が低下するようになって、輝線不良が発生する。これは、ランプ固定部１２２を用いるバックライトアセンブリの輝度特性を低下する恐れがある。
【００７８】
内側部１２２ａは、扁平な形状を有するように形成された面によって、内側部１２２ａの左側、右側、下側のそれぞれの一部領域でランプ１４０と非接触領域（ＮＴＡ）が形成される。
したがって、ランプ１４０との接触領域が最小となるようにランプ固定部１２２の内側部１２２ａの形状を構成することで、ランプ固定部１２２を通じてランプ１４０から放出する熱量を減少することができる。これによって、ランプ１４０の内部に含まれる水銀（Ｈｇ）の不均一な分布を防止でき、水銀（Ｈｇ）濃度が低くなる部分から出射する光の輝度が低下することで発生する輝線不良の問題点を解決できる。
【００７９】
図２１は、本発明の他の実施例によるバックライトアセンブリの分解斜視図である。
本実施例で、フレームの構成は、一実施例と同一の構造を有するので、同一の構成要素に対しては同一の参照番号を付与し、それの重複される詳細な説明は省略する。
図２１に示すように、本発明の他の実施例によるバックライトアセンブリ５００は、フレーム１００、複数のランプ１４０、光学部材３００、収納容器４００及びガイドフレーム７００を含む。光学部材３００は、拡散板３１０、光学シート３２０及び反射板３３０を含む。また、ランプ１４０は、一例として、Ｕ字形冷陰極蛍光ランプで構成される。
【００８０】
収納容器４００は、底面４１０及び底面４１０から折り曲がって延長された側壁４２０を含み、底面４１０と側壁４２０によって定義された収納空間にフレーム１００、複数のランプ１４０及び光学部材３００を収納する。
複数のランプ１４０の上部には、拡散板３１０及び光学シート３２０が配置される。拡散板３１０及び光学シート３２０は、複数のランプ１４０から出射した光を拡散させてバックライトアセンブリ５００の輝度均一性及び視野角を向上させる。
【００８１】
複数のランプ１４０と底面４１０との間には反射板３３０が配置される。反射板３３０は、複数のランプ１４０から漏洩された光を拡散板３１０方向に反射させることで、バックライトアセンブリ５００の光効率を向上させる。
フレーム１００は、第１サイドフレーム１０１及び第２サイドフレーム１０２を含む。第１サイドフレーム１０１は、複数のランプ１４０のベンディング部１４１をカバーし、第２サイドフレーム１０２は、複数のランプ１４０の直管部（１４２、１４３）の端部、即ち、第１端部１４２ａと第２端部１４３ａをカバーする。
【００８２】
第１サイドフレーム１０１は、図１６〜図２０で説明したフレームと同一に形成される。したがって、重複する詳細な説明は省略する。
第２サイドフレーム１０２は、第１サイドフレーム１０１と同一形状に形成することができる。即ち、第２サイドフレーム１０２には、第１端部１４２ａ及び第２端部１４３ａが挿入される挿入部（図示せず）が形成され、挿入部には第１サイドフレーム１０２と同一形状を有するランプ固定部を形成することができる。
【００８３】
また、第２サイドフレーム１０２は、第１端部１４２ａ及び第２端部１４３ａに外部電源を供給するためのコネクタがホルダー形状に形成される場合、ランプ固定部を省略した構造で形成することができる。
また、本発明の他の実施例では、フレーム１００をバックライトアセンブリ５００の独立した構成要素で示したが、フレーム１００は収納容器４００と一体型に形成することができる。
【００８４】
即ち、収納容器４００の側壁４２０のうち、ランプ１４０のベンディング部１４１またはランプ１４０の直管部（１４２、１４３）それぞれの端部（１４２ａ、１４３ａ）と対向する側壁をフレーム１００の第３面１３０として構成することで、収納容器４００とモールドフレーム１００を一体型に形成することができる。
これによって、フレーム１００の第１面１１０と第２面１２０が収納容器４００の側壁４２０から延長されて形成され、第２面１２０にランプ固定部１２２を形成することで、独立的に形成されたフレームと同一の効果を得ることができる。
【００８５】
ガイドフレーム７００は、拡散板３１０と光学シート３２０を指定された位置に固定し、後述する液晶表示パネル（図示せず）の収納位置をガイドする。
図２２は、本発明の他の実施例による表示装置の分解斜視図である。
図６に示すように、本発明の他の実施例による表示装置９００は、光を発生するバックライトアセンブリ５００及び光を用いて画像を表示する表示パネルアセンブリ６００を含む。
【００８６】
バックライトアセンブリ５００は、光を発生して表示パネルアセンブリ６００に提供する。バックライトアセンブリ５００は、図１６〜図２１を通じて説明したので、重複する詳細な説明は省略する。
表示パネルアセンブリ６００は、画像を表示する液晶表示パネル６１０、データ印刷回路基板６２０及びゲート印刷回路基板６３０、データ可撓性フィルム６４０及びゲート可撓性フィルム６５０を含む。データ印刷回路基板６２０及びゲート印刷回路基板６３０は、データ可撓性フィルム６４０及びゲート可撓性フィルム６５０を通じて液晶表示パネル６１０に電気的に接続される。データ可撓性フィルム６４０及びゲート可撓性フィルム６５０のそれぞれには、データ印刷回路基板６２０及びゲート印刷回路基板６３０から提供される各種制御信号を液晶表示パネル６１０を駆動するための駆動信号に変換して出力するデータ駆動チップ６４１及びゲート駆動チップ６５１が実装される。
【００８７】
液晶表示パネル６１０は、ＴＦＴ基板６１１、ＴＦＴ基板６１１に対向して結合されるカラーフィルタ基板６１２及びＴＦＴ基板６１１とカラーフィルタ基板６１２との間に介在された液晶層６１３を含む。
ＴＦＴ基板６１１は、スイッチング素子であるＴＦＴ（図示せず）がマトリクス形態で形成された透明なガラス基板である。ＴＦＴのソース端子及びゲート端子には、それぞれデータライン及びゲートラインが接続され、ドレイン端子には透明な導電性材質からなる画素電極（図示せず）が接続される。
【００８８】
カラーフィルタ基板６１２は、色画素であるＲＧＢ画素（図示せず）及び透明な導電性材質からなる共通電極（図示せず）が形成された基板である。
表示装置９００は、トップシャーシ８００を更に含む。
トップシャーシ８００は、液晶表示パネル６１０のエッジを囲みかつ収納容器４００に締結されて液晶表示パネル６１０をバックライトアセンブリ５００の上部に固定する。
【００８９】
トップシャーシ８００は、外部の衝撃による液晶表示パネル６１０の破損を防止し、液晶表示パネル６１０がバックライトアセンブリ５００から離脱することを防止する。
本発明では、Ｕ字形冷陰極蛍光ランプに適用可能なモールドフレーム、これを具備したバックライトアセンブリ及び表示装置に関して説明したが、モールドフレームはＵ字形冷陰極蛍光ランプの他にも管状冷陰極蛍光ランプにも同一に適用できるのは当業者に自明な事項である。
【図面の簡単な説明】
【００９０】
【図１】本発明の一実施例によるモールドフレームを示した斜視図である。
【図２】図１のＡ領域を拡大した図である。
【図３】ランプ固定部材にランプが装着されたことを示した図である。
【図４】本発明の他の実施例によるモールドフレームを示した斜視図である。
【図５】図４のＢ領域を拡大した図である。
【図６】本発明の一実施例によるランプ固定部材の形状を説明するためにランプとの締結状態を示す図である。
【図７】本発明の一実施例によるランプ固定部材の形状を説明するためにランプとの締結状態を示した他の図である。
【図８】本発明の一実施例によるバックライトアセンブリの分解斜視図である。
【図９】本発明の一実施例による表示装置の分解斜視図である。
【図１０】比較例によるランプ固定部材を説明するための図面である。
【図１１】図１０に示したランプ固定部材を用いるバックライトアセンブリを概略的に示した断面図である。
【図１２】他の比較例によるランプ固定部材を説明するための図である。
【図１３】ランプの位置別温度測定ポイントを示した図である。
【図１４】図１０と図１２に示したランプ固定部材による温度差を比較して示したグラフである。
【図１５】図１２に示したランプ固定部材によって固定されたランプを概略的に示した図である。
【図１６】本発明の一実施例によるモールドフレームを示した斜視図である。
【図１７】図１６のＣ領域を拡大して示した図である。
【図１８】図１８は、他の実施例による図１６のＣ領域を拡大して示した図である。
【図１９】本発明の一実施例によるランプ固定部の形状を説明するためにランプとの締結状態を示した図である。
【図２０】本発明の一実施例によるランプ固定部の形状を説明するためにランプとの締結状態を示した他の図である。
【図２１】本発明の他の実施例によるバックライトアセンブリの分解斜視図である。
【図２２】本発明の他の実施例による表示装置の分解斜視図である。
【符号の説明】
【００９１】
１００、２００    モールドフレーム
１２１、２２１    挿入部
１２２、２２２    ランプ固定部材
１４０、２４０    ランプ
３００    光学部材
３１０    拡散板
３２０    光学シート
３３０    反射板
４００    収納容器
５００    バックライトアセンブリ
６００    表示パネルアセンブリ
７００    ガイドフレーム
８００    トップシャーシ
【図１】
2007053094.tif 000003
【図２】
2007053094.tif 000004
【図３】
2007053094.tif 000005
【図４】
2007053094.tif 000006
【図５】
2007053094.tif 000007
【図６】
2007053094.tif 000008
【図７】
2007053094.tif 000009
【図８】
2007053094.tif 000010
【図９】
2007053094.tif 000011
【図１０】
2007053094.tif 000012
【図１１】
2007053094.tif 000013
【図１２】
2007053094.tif 000014
【図１３】
2007053094.tif 000015
【図１４】
2007053094.tif 000016
【図１５】
2007053094.tif 000017
【図１６】
2007053094.tif 000018
【図１７】
2007053094.tif 000019
【図１８】
2007053094.tif 000020
【図１９】
2007053094.tif 000021
【図２０】
2007053094.tif 000022
【図２１】
2007053094.tif 000023
【図２２】
2007053094.tif 000024